(57)【要約】      （修正有）【課題】容器内の保冷剤の単位時間当たりの放熱量の抑制と容器の軽量化とを兼備し、しかも内容物の下部が冷えすぎないようにする容器を提供する。【解決手段】容器は、内外に配置された状態で連結される内容器５と外容器２と、内容器と外容器の間に形成される有底筒状の収容空間部６ａと、収容空間部の筒状空間部６ｂに収容される保冷剤６と独立発泡体の断熱層壁７１とを備える。断熱層壁は内容器の内周壁５１の外周面における下部を被覆する筒状であり、内周壁の外周面は断熱層壁に被覆される断熱領域と保冷剤に晒される放熱領域とを備え、放熱領域は断熱層壁よりも上側に配置される筒状の主放熱領域を備えるようにし、上側の主放熱領域で内容物を冷却し、下側の断熱領域で内容物を保温する。【選択図】図１
0003234658.tif 000002
【実用新案登録請求の範囲】
【請求項１】
内外に配置された状態で連結される内容器と外容器と、内容器と外容器の間に形成される有底筒状の収容空間部と、収容空間部の筒状空間部に収容される保冷剤と独立発泡体の断熱層壁とを備え、
断熱層壁は内容器の内周壁の外周面の下部を被覆する筒状であり、
内周壁の外周面は断熱層壁に被覆される断熱領域と保冷剤に晒される放熱領域とを備え、
放熱領域は断熱層壁よりも上側に配置される筒状の主放熱領域を備えることを特徴とする容器。
【請求項２】
保冷剤は内周壁の主放熱領域と断熱層壁の外周面とを上下に連続する状態で包囲することを特徴とする請求項１に記載の容器。
【請求項３】
断熱層壁の上端は筒状空間部の全高に対して３／４以下の高さに配置されていることを特徴とする請求項１又は２に記載の容器。
【請求項４】
断熱層壁の上端は筒状空間部の全高に対して１／４以上の高さに配置されていることを特徴とする請求項３に記載の容器。
【考案の詳細な説明】
【技術分野】
【０００１】
本考案は保冷剤を収容した容器に関する。
【背景技術】
【０００２】
従来の保冷剤入りの容器の一例としては、内容器と外容器の間に保冷剤と断熱層を収容し、内容器・保冷剤・断熱層・外容器をこの並び順に径方向の外側に向かって配置したものが知られている（特許文献１，２）。
【０００３】
上記した従来の保冷剤入りの容器では、内容器の外周面のほぼ全面を覆う状態に保冷剤が配置されているので、保冷剤の熱が内容器に効率良く伝わるようになっており、また外容器の内周面のほぼ全面を覆う状態に断熱層が配置され、断熱層が保冷剤の外側を覆う状態に配置されているので、保冷剤の熱を外容器に伝わり難くする役割を果たしている。
【先行技術文献】
【特許文献】
【０００４】
【特許文献１】特開２０２０−７３１５０号公報
【特許文献２】特開２００５−１０３０２０号公報
【考案の概要】
【考案が解決しようとする課題】
【０００５】
ところで上記した従来の保冷剤入りの容器を使って例えば冷たい飲料を飲もうとした場合には、事前に容器を冷凍庫に入れて、保冷剤ごと容器を冷たくしておくことが必要とされる。そして冷凍庫から出した容器に飲料を注ぐと、保冷剤の熱が内容器から飲料に効率良く伝わるので、飲料を急冷するには適しているが、その反面、所望の温度よりも冷えすぎることがある。また所望の温度よりも冷えすぎるということは、容器内の飲料に対して保冷剤が短時間に放熱し過ぎているということである。そうすると、例えば同じ容器に飲料を複数回注いだ場合には２回目以降において、飲料が所望の温度に冷えるまでの時間が所望の時間よりも長くなったり、所望の温度にまで冷えなかったりすることが起こりうる。
【０００６】
また上記した従来の保冷剤入りの容器で飲料を冷やした場合、容器内の飲料の温度は下側が上側に比べて低くなる。というのも従来の保冷剤入りの容器では、内容器の外周面のほぼ全面を覆う状態に保冷剤が配置され、内容器の高さ方向のほぼ全長から飲料へ放熱（冷却）するので、容器に注いだ直後から飲料は下部が上部に比べて急速に冷たくなり、場合によっては下部だけが凍ることも起こりうる。
【０００７】
また従来の保冷剤入りの容器に対して軽量化の要望がある。その要望を達成する手段として、例えば内容器と外容器の間の空間部を狭く形成し、その空間を狭くした分だけ保冷剤の量を減らした容器を形成することが考えられる。確かにその容器であれば軽量化は達成するが、保冷剤の量が減った分、熱の持続力が低下するばかりか、保冷剤が内容器の外周面のほぼ全面を覆う状態に変わりはないので、保冷剤が短時間に放熱し過ぎる状況は改善されない。
【０００８】
本考案は上記実情を考慮して創作されたもので、その目的は容器内への保冷剤の単位時間当たりの放熱量の抑制と容器の軽量化とを兼備し、しかも内容物の下部が冷えすぎないようにすることである。
【課題を解決するための手段】
【０００９】
本考案の容器は、内外に配置された状態で連結される内容器と外容器と、内容器と外容器の間に形成される有底筒状の収容空間部と、収容空間部の筒状空間部に収容される保冷剤と独立発泡体の断熱層壁とを備える。そして断熱層壁は内容器の内周壁の外周面の下部を被覆する筒状であり、内周壁の外周面は断熱層壁に被覆される断熱領域と保冷剤に晒される放熱領域とを備え、放熱領域は断熱層壁よりも上側に配置される筒状の主放熱領域を備えることにする。
【００１０】
また保冷剤は断熱層壁の外周面を包囲する状態で配置されているか否かは問わないが、保冷効果を持続するには次のようにすることが望ましい。
すなわち保冷剤は内周壁の主放熱領域と断熱層壁の外周面とを上下に連続する状態で包囲することである。
【００１１】
断熱層壁の上端は筒状空間部の全高に対してどの程度の高さであるかを問わないが、具体的には次のようにすることが望ましい。
すなわち断熱層壁の上端は筒状空間部の全高に対して３／４以下の高さに配置されていることである。
また断熱層壁の上端は筒状空間部の全高に対して１／４以上の高さに配置されていることである。
【考案の効果】
【００１２】
本考案の容器は、内容器の内周壁の下部が断熱層壁によって被覆され断熱領域となり、内周壁のうち断熱領域の上側が主放熱領域となるので、内容物を上側で冷却して下側で保温することになり、内容物を内容器の高さ方向のほぼ全長から冷却する従来の容器に比べれば、内容物の下部の冷却速度が緩やかになり、内容物の下部が冷えすぎないようになる。また本考案の容器は、内容器の内周壁の外周面には断熱層壁に被覆される部分と保冷剤に晒される部分とを備えるので、例えば内容器の外面のほぼ全面が保冷剤に晒される容器と比べると、保冷剤の単位時間当たりの放熱量の抑制と容器の軽量化を兼備する。
【００１３】
また本考案の容器は、保冷剤が内周壁の主放熱領域と断熱層壁の外周面とを上下に連続する状態で包囲する構成の場合には、断熱層壁を包囲する部分に収容された保冷剤から内周壁への最短距離での放熱を断熱層壁が邪魔するので、断熱層壁を包囲する部分に収容された保冷剤からの熱がその上側に収容された保冷剤を経て、内周壁、内容物へ順番に伝わるようになり、保冷効果が持続するようになる。
【図面の簡単な説明】
【００１４】
【図１】本考案の第一実施形態の容器を示す正面図である。
【図２】第一実施形態の容器を分解して示す断面図である。
【考案を実施するための形態】
【００１５】
本考案の第一実施形態の容器１は図１，２に示すように、外容器２、外容器２の内側に収容されると共に外容器２に連結された内容器５、外容器２と内容器５の間に収容される保冷剤６、外容器２と内容器５の間に収容されると共に内容器５の外面を下部において被覆する断熱層７、保冷剤６よりも上方において外容器２と内容器５の間に挟まれるパッキン８を備える。なお本実施形態の容器１は液体用（飲料用）であることが望ましい。
【００１６】
外容器２は内容器５に対して外側に配置された二重壁構造であり、二つの壁の間を中空としている。また外容器２は、外側容器３と、外側容器３と内容器５の中間に配置された（つまり外側容器３に対して内側に配置されると共に内容器５に対して外側に配置された）中間容器４を備え、外側容器３の内側に中間容器４を収容する状態で外側容器３と中間容器４とを連結した構造である。
【００１７】
外側容器３と中間容器４はいずれも金属板を加工したもの（金属製）で、弾性を有する。また外側容器３は、上下方向に延長する筒状の外側周壁３１、外側周壁３１の下端を塞ぐ外側底壁３２を備える。中間容器４は、上下方向に延長すると共に外側周壁３１に対しその径方向内側に同心状に配置される筒状の中間周壁４１、中間周壁４１の下端を塞ぐ中間底壁４２を備える。なお筒状と径方向とは詳しくは円筒状、半径方向のことであり、以後、同様であるものとする。
【００１８】
外側底壁３２はその中央部にはその周りに対して上方へ凹む底凹部３２ａを備える。底凹部３２ａは半球面状である。
【００１９】
外側周壁３１と中間周壁４１は、いずれも全体的に下方へ向かうにつれて小径となる形状である。また外側周壁３１と中間周壁４１は、互いの上端部において径方向に重なり合う重合部２ｂを備えると共に、重合部２ｂの下方において互いの径方向に離れる空間部２ａを備える。つまり外容器２の内部には空間部２ａが形成される。
【００２０】
空間部２ａは、外側周壁３１と中間周壁４１が互いの上端部よりも下側において径方向に離れ、外側底壁３２と中間底壁４２が上下方向に離れていることから、底のある筒状、つまり有底筒状に形成されている。なお空間部２ａは負圧に、言い換えれば真空状態に形成され、断熱空間として機能する。
【００２１】
重合部２ｂは、溶接加工によって一体となり、外側周壁３１と中間周壁４１の上端部同士を全周に亘って一体としたものである。つまり重合部２ｂは、径方向に重なり合うもので、径方向の外側を構成する外重合部３１ａが外側周壁３１の上端部であり、径方向の内側を構成する内重合部４１ａが中間周壁４１の上端部である。なお中間周壁４１と外側周壁３１の詳細については後述する。
【００２２】
内容器５は単独の壁を有する構造であり、金属板を加工したもの（金属製）で、弾性を有する。また内容器５は、上下方向に延長する筒状の内周壁５１、内周壁５１の下端を塞ぐ内底壁５２、内周壁５１の上端の全周から径方向外側に張り出しながら下方へ延長する外口壁５３を備える。
【００２３】
内容器５と外容器２とは互いの上部において連結する連結部１ａを備える。連結部１ａは、互いに嵌り合う嵌合部５ｃと被嵌合部２ｃによって形成される。嵌合部５ｃは内容器５の上部であり、被嵌合部２ｃは外容器２の上部である。
【００２４】
内周壁５１は、外口壁５３の径方向内側に位置すると共に外口壁５３の上端の全周から下方に延長する内口壁５１ａ、内口壁５１ａの下端から下方に形成される外向凸部５１ｂ、外向凸部５１ｂの下端の全周から下方へ延長する筒状の内周壁本体５１ｃを備える。なお内周壁本体５１ｃは、全体として下方へ向かうにつれて小径となる筒状である。
【００２５】
外口壁５３と内口壁５１ａと外向凸部５１ｂとは内容器５の上部、つまり嵌合部５ｃを形成する。そして嵌合部５ｃは、その内側にパッキン８を収容する状態で外容器２の上部（被嵌合部２ｃ）に嵌り合う。
【００２６】
パッキン８は、弾性変形するもの、たとえばゴム製である。またパッキン８は、環状であり、その下面には径方向の幅中央部に上方へ延びるスリット８ａを全周に亘って備える。スリット８ａの径方向の幅は、重合部２ｂの径方向の幅よりも少し狭く形成してある。
【００２７】
嵌合部５ｃは環状で、その断面形状（詳しく言えば、上下方向へ切断した場合の片側断面の形状）を下方に開口するＵ字状とする。嵌合部５ｃの内部には、その下部に外容器２の上部が収容され、その中間部（外容器２の上部の上）にパッキン８が径方向の内外から挟まれる状態で収容され、その上部（パッキン８の上方）に上方空間部８ｓが形成される。
【００２８】
外向凸部５１ｂは、内口壁５１ａの下端の全周から下方へ延長すると共に径方向外側に突出する形であり、その断面形状を外向きに突出するＶ字形状とする。そして外向凸部５１ｂは外口壁５３に対して径方向に対向しており、上下方向の位置関係として、Ｖ字状の断面形状のうち最も径方向外側の部位が外口壁５３の下端よりも上方に位置する。
【００２９】
上記した嵌合部５ｃに嵌り合うのが被嵌合部２ｃである。被嵌合部２ｃは、中間周壁４１の上部と外側周壁３１の上部とによって形成される。
【００３０】
外側周壁３１は、その上端部である外重合部３１ａ、外重合部３１ａの下方において全周に亘って径方向外側に突出する環状の上段部３１ｂ、上段部３１ｂの外周の全周から下方に延長すると共に内容器５の外口壁５３の径方向内側に面状に重なり合う下地部３１ｃ、下地部３１ｃの下方において全周に亘って径方向外側に突出する環状の下段部３１ｄ、下段部３１ｄの外周の全周から下方に延長する外側周壁本体３１ｅを備える。被嵌合部２ｃを形成する外側周壁３１の上部とは、外側周壁本体３１ｅよりも上側の部分、つまり、外重合部３１ａ、上段部３１ｂ、下地部３１ｃ、下段部３１ｄである。
【００３１】
中間周壁４１は、その上端部である内重合部４１ａ、重合部２ｂの下方において全周に亘って径方向内側に突出すると共に外向凸部５１ｂの上側に嵌合する内向凸部４１ｂ、内向凸部４１ｂの下端の全周から下方へ延長する筒状の中間周壁本体４１ｃを備える。被嵌合部２ｃを形成する中間周壁４１の上部とは、中間周壁本体４１ｃよりも上側の部分、つまり内重合部４１ａと内向凸部４１ｂである。
【００３２】
内向凸部４１ｂは、その断面形状を内向きに突出するＶ字形状とする。また内向凸部４１ｂは下地部３１ｃと径方向に対向しており、上下方向の位置関係として、Ｖ字状の断面形状のうち最も径方向内側の部位が下地部３１ｃの上端と下端の間に位置する。同様にＶ字状の断面形状のうち最も径方向内側の部位が、下地部３１ｃに重なり合う外口壁５３の下端よりも上側に位置する。
【００３３】
このような被嵌合部２ｃに対して嵌合部５ｃが上方への移動を制限される状態で嵌合することによって、内容器５と外容器２とが連結される。そして内容器５と外容器２の間には収容空間部６ａが形成される。この収容空間部６ａは、内周壁本体５１ｃと中間周壁本体４１ｃが径方向に離れ、内底壁５２と中間底壁４２が上下方向に離れていることから、底のある筒状、つまり有底筒状に形成されている。つまり収容空間部６ａは、径方向に離れる内周壁本体５１ｃと中間周壁本体４１ｃとの間に形成される筒状空間部６ｂと、筒状空間部６ｂの下端に通じると共に上下方向に離れる内底壁５２と中間底壁４２との間に形成される底板状空間部６ｃとを備える。この収容空間部６ａには保冷剤６と断熱層７とが収容される。
【００３４】
保冷剤６は、たとえば液体状のもの（−２０℃〜−５℃の範囲で凍結又は解凍する性質を有するもの）を用いる。より具体的な一例として保冷剤６は、尿素、水、ポリプロピレングリコールを含むものとする。
【００３５】
水は、保冷剤６の大部分を占めるものである。
尿素とポリプロピレングリコールは、水を凍り易くするものである。
この保冷剤６の充填量は、凍った状態での膨張を考慮して、内容器５と外容器２の間に形成される収容空間部６ａに対して内向凸部４１ｂと外向凸部５１ｂとが嵌合する部分よりも少し下側までとする。
【００３６】
断熱層７は、内容器５の外周面（内周壁５１の外周面）の下部を被覆する断熱層壁７１と、内容器５の底面（内底壁５２の底面）を被覆する断熱層底７２とを備える。
【００３７】
断熱層壁７１は、内容器５の外周面の下部をその周方向の全長に亘って一回り覆っている。本実施形態では断熱層壁７１は貫通穴の無い断熱シートを筒状に巻いて形成される。そして断熱層７（断熱層壁７１）に被覆される断熱領域となるのが内周壁５１の外周面のうち下部であり、一方、断熱層７によって被覆されることなく保冷剤６に晒される放熱領域となるのが、内周壁５１の外周面のうち断熱層壁７１よりも上側である。
また本実施形態では断熱層壁７１の上端は、筒状空間部６ｂの全高Ｈに対して略半分の高さに配置されている。したがって断熱層壁７１の上端は、筒状空間部６ｂの全高Ｈに対して３／４以下の高さであり、且つ当該全高Ｈに対して１／４以上の高さに配置されている。なお筒状空間部６ｂの全高Ｈを測る際の下端は、内容器５の最下端（内底壁５２の最下端）である。断熱層壁７１の上端は実際の冷え具合に合わせて全高Ｈに対して３／４以下で且つ１／４以上の高さ範囲で調整される。
【００３８】
また断熱層底７２は貫通穴のない断熱シートで形成される。そして断熱層７（断熱層底７２）によって被覆される断熱領域となるのが、内容器５の内底壁５２である。したがって本実施形態では保冷剤６に晒される放熱領域は、断熱層壁７１よりも上側に位置する筒状の主放熱領域のみから構成される。
なお断熱層底７２の断熱シートと断熱層壁７１の断熱シートは本実施形態では同一の材料とする。断熱層７を構成する断熱シートは図面では継ぎ目のない一体形状、つまり有底筒状となっている。また断熱シートは接着剤で内容器５に接着しても良いし、接着せずに単に内容器５の外周面に被せ、着脱可能にしても良い。
【００３９】
断熱シート（断熱層７）は、単位体積あたりの重量が保冷剤６よりも小さいものである。断熱シートは、独立発泡体（独立気泡の発泡ゴムや発泡樹脂）である。独立発泡体は、連続発泡体に比べて、吸水し難いので保冷剤６に接する条件下で使用する場合には断熱効果が大きい。また独立発泡体は、発泡剤を含まないゴムや樹脂に比べて、単位体積あたりの重量の軽量化、柔軟性の向上を図ることができる。
【００４０】
本考案の第一実施形態の容器１は、内容器５の外面のうち底面には断熱層７の断熱層底７２に被覆された部分だけを備えるが、内容器５の外面のうち外周面（内周壁５１の外周面）には断熱層７に被覆される部分と保冷剤６に晒される部分（浸される部分）とを備えるので、例えば内容器５の外面（外周面と底面）のほぼ全面が保冷剤６に晒される部分を備える容器と比べると、保冷剤６の単位時間当たりの放熱量の抑制と容器１の軽量化とを兼備するものである。
【００４１】
また本考案の第一実施形態の容器１は、断熱層７としての断熱シートを内容器５の下部に用いるので、断熱層７が内容器５の外面を被覆する総面積に応じて、保冷剤６の単位時間当たりの放熱量の抑制を図ることができ、保冷剤６が短時間に放熱し過ぎて容器１内の液体が冷えすぎたりすることもなく、さらに断熱シートの体積に応じて、容器１の軽量化を図ることができる。
【００４２】
また第一実施形態の容器１は、内容器５の内周壁５１の下部が断熱層壁７１によって被覆される断熱領域となり、内周壁５１のうち断熱領域の上側が主放熱領域となり、内容物を上側で冷却して下側で保温することになるので、内容物を内容器の高さ方向のほぼ全長から冷却する従来の容器に比べれば、内容物の下部の冷却速度が緩やかになり、内容物の下部が冷えすぎないようになる。
【００４３】
また第一実施形態の容器１は、保冷剤６が内周壁５１の主放熱領域と断熱層壁７１の外周面とを上下に連続する状態で包囲しつつ、内底壁５２の底面をも包囲する構成なので、断熱層壁７１を包囲する部分に収容された保冷剤６から内周壁５１への最短距離での放熱を断熱層壁７１が邪魔し、断熱層底７２を包囲する部分に収容された保冷剤６から内底壁５２への最短距離での放熱を断熱層底７２が邪魔するので、断熱層壁７１と断熱層底７２を包囲する部分に収容された保冷剤６からの熱が断熱層壁７１の上側に収容された保冷剤６を経て、内周壁５１、内容物へ順番に伝わるようになり、保冷効果が持続するようになる。
【００４４】
本考案は上記実施形態に限定されるものではない。例えば、断熱層壁７１として用いられる断熱シートは、上記実施形態では貫通穴の無いものであり、それゆえ放熱領域は、断熱層壁７１よりも上側の主放熱領域だけで構成されていたが、本考案ではこれに限らず、例えば断熱層壁７１として用いられる断熱シートは貫通穴が形成されたものであっても良く、この場合、放熱領域は、断熱層壁７１よりも上側の主放熱領域だけでなく、断熱層壁７１に形成された貫通穴から保冷剤６に晒される副放熱領域も含まれることになる。
また外容器２は上記実施形態では空間部２ａを真空とした二重壁構造であったが、本考案ではこれに限らず、例えば他の断熱構造を有するものであっても良い。
また断熱層７は上記実施形態では、断熱層壁７１と断熱層底７２とを継ぎ目のない状態で有底筒状としていたが、本考案ではこれに限らず、継ぎ目のある状態で有底筒状としても良い。
【符号の説明】
【００４５】
１  容器
１ａ  連結部
２  外容器
２ａ  空間部
２ｂ  重合部
２ｃ  被嵌合部
３  外側容器
３１  外側周壁
３１ａ  外重合部
３１ｂ  上段部
３１ｃ  下地部
３１ｄ  下段部
３１ｅ  外側周壁本体
３２  外側底壁
３２ａ  底凹部
４  中間容器
４１  中間周壁
４１ａ  内重合部
４１ｂ  内向凸部
４１ｃ  中間周壁本体
４２  中間底壁
５  内容器
５ｃ  嵌合部
５１  内周壁
５１ａ  内口壁
５１ｂ  外向凸部
５１ｃ  内周壁本体
５２  内底壁
５３  外口壁
６  保冷剤
６ａ  収容空間部
６ｂ  筒状空間部
６ｃ  底板状空間部
７  断熱層
７１  断熱層壁
７２  断熱層底
８  パッキン
８ａ  スリット
８ｓ  上方空間部
Ｈ  全高
【図１】
0003234658.tif 000003
【図２】
0003234658.tif 000004